(57)【要約】【課題】サイマル放送される、１２セグなどの高品質データとワンセグなどの低品質データとを適切に切り換え、高品質な映像や音声を視聴者に視聴させる。【解決手段】放送信号受信装置は、同一のコンテンツが異なる放送形式によって放送される、高品質データを含む第１放送信号及び低品質データを含む第２放送信号を受信する受信部（１０、１２、１４、１６）と、受信された第１放送信号の高品質データを所定時間分保持する保持部（２０）と、保持された所定時間分の高品質データについて、エラーの推移を検出する検出部（３０）と、検出されたエラーの推移に応じて、受信された第１放送信号の高品質データと受信された第２放送信号の低品質データとのいずれかを選択的に出力する出力部（３２、３４）とを備える。【選択図】図１
2012227633.tif 000002
【特許請求の範囲】
【請求項１】
同一のコンテンツが異なる放送形式によって放送される、高品質データを含む第１放送信号及び低品質データを含む第２放送信号を受信する放送信号受信装置であって、
前記第１及び第２放送信号を受信する受信部と、
前記受信された前記第１放送信号の高品質データを所定時間分保持する保持部と、
前記保持された前記所定時間分の高品質データについて、エラーの推移を検出する検出部と、
前記検出されたエラーの推移に応じて、前記受信された前記第１放送信号の高品質データと前記受信された前記第２放送信号の低品質データとのいずれかを選択的に出力する出力部と
を備えることを特徴とする放送信号受信装置。
【請求項２】
前記検出部は、前記保持された前記所定時間分の高品質データについて、前記所定時間が複数に分割された分割期間毎のエラー数を、前記エラーの推移として検出することを特徴とする請求項１に記載の放送信号受信装置。
【請求項３】
前記検出部は、前記保持された前記所定時間分の高品質データに、時間軸で連続的に発生するバーストエラーが含まれているか否かを判定する第１判定手段を含むことを特徴とする請求項１又は２に記載の放送信号受信装置。
【請求項４】
前記検出部は、前記保持された前記所定時間分の高品質データに、時間軸で断続的に発生する断続的エラーが含まれているか否かを判定する第２判定手段を含むことを特徴とする請求項１から３のいずれか一項に記載の放送信号受信装置。
【請求項５】
同一のコンテンツが異なる放送形式によって放送される、高品質データを含む第１放送信号及び低品質データを含む第２放送信号を受信する装置によって実行される放送信号受信方法であって、
前記第１及び第２放送信号を受信する受信工程と、
前記受信された前記第１放送信号の高品質データを所定時間分保持する保持工程と、
前記保持された前記所定時間分の高品質データについて、エラーの推移を検出する検出工程と、
前記検出されたエラーの推移に応じて、前記受信された前記第１放送信号の高品質データと前記受信された前記第２放送信号の低品質データとのいずれかを選択的に出力する出力工程と
を備えることを特徴とする放送信号受信方法。
【発明の詳細な説明】
【技術分野】
【０００１】
本発明は、放送信号受信装置及び方法の技術分野に関する。
【背景技術】
【０００２】
日本の地上デジタルテレビジョン放送（以下、「地デジ」と適宜称する）では、１つの周波数（物理）チャンネルにおいて、伝送特性の異なる複数のサービスが運用されている。多くの放送局では、固定受信向けサービス（以下、「１２セグ」と適宜称する）と部分受信向けサービス（以下、「ワンセグ」と適宜称する）とを、番組内容が同一なコンテンツで放送している（以下、「サイマル放送」と適宜称する）。ここで、１２セグは、高解像度であるが、受信ノイズに弱いため、固定受信機（例えば、固定テレビジョン受信機）で受信するのに適しており、一方、ワンセグは、低解像度であるが、受信ノイズに強いため、移動体受信機（例えば、携帯電話機）で受信するのに適している。
【０００３】
車載用の地デジ受信機では、１２セグとワンセグとを受信状態によって自動的に切り換え、編成チャンネル（以下、「サービス」と適宜称する）を自動的に切り換える機能を搭載しているものが一般的である。例えば、車載用の地デジ受信機では、受信状態が良く、受信した１２セグの映像データに発生しているエラーが所定の基準値よりも少ない場合には、受信ノイズに弱いが高解像度である１２セグに切り換えられ、一方、受信状態が悪く、受信した１２セグの映像信号に発生しているエラーが所定の基準値よりも多い場合には、低解像度であるが受信ノイズに強いワンセグに切り換えられる。
【０００４】
このような１２セグとワンセグとを切り換える車載用の地デジ受信機においては、可能な限り、高解像度である１２セグの映像を視聴したいという要請がある。
【０００５】
例えば特許文献１には、デジタル放送受信装置において、受信状態が劣化したような場合に、デジタル放送による番組間での受信切り替えを行うことにより、番組を良好な品質の下で継続して再生する技術が開示されている。
【先行技術文献】
【特許文献】
【０００６】
【特許文献１】特開２００６−３３３９０号公報
【発明の概要】
【発明が解決しようとする課題】
【０００７】
前述したように、受信した１２セグの映像データに発生しているエラーが所定の基準値よりも多いか否かに応じて１２セグとワンセグとを切り換える場合、例えば、エラーが短時間しか所定の基準値よりも多くならないときにもワンセグに切り換えられ、高解像度である１２セグの映像を視聴可能であるにもかかわらず、低解像度であるワンセグの映像が表示されてしまうおそれがあるという技術的問題点がある。このため、可能な限り、高解像度である１２セグの映像を視聴したいという要請に反してしまうおそれがある。また、例えば、１２セグの映像データのエラーが急に増加するときには、１２セグからワンセグへの切り換えが間に合わず、映像が途切れてしまったり、エラーが多く発生した状態の１２セグの映像が表示されてしまったりするおそれがあるという技術的問題点もある。
【０００８】
本発明は、例えば前述した問題点に鑑みなされたものであり、例えば、サイマル放送される、例えば１２セグなどの高品質データと例えばワンセグなどの低品質データとを適切に切り換えることができ、高品質な映像や音声を視聴者に視聴させることが可能な放送信号受信装置及び方法を提供することを課題とする。
【課題を解決するための手段】
【０００９】
本発明の放送信号受信装置は上記課題を解決するために、同一のコンテンツが異なる放送形式によって放送される、高品質データを含む第１放送信号及び低品質データを含む第２放送信号を受信する放送信号受信装置であって、前記第１及び第２放送信号を受信する受信部と、前記受信された前記第１放送信号の高品質データを所定時間分保持する保持部と、前記保持された前記所定時間分の高品質データについて、エラーの推移を検出する検出部と、前記検出されたエラーの推移に応じて、前記受信された前記第１放送信号の高品質データと前記受信された前記第２放送信号の低品質データとのいずれかを選択的に出力する出力部とを備える。
【００１０】
本発明の放送信号受信方法は上記課題を解決するために、同一のコンテンツが異なる放送形式によって放送される、高品質データを含む第１放送信号及び低品質データを含む第２放送信号を受信する装置によって実行される放送信号受信方法であって、前記第１及び第２放送信号を受信する受信工程と、前記受信された前記第１放送信号の高品質データを所定時間分保持する保持工程と、前記保持された前記所定時間分の高品質データについて、エラーの推移を検出する検出工程と、前記検出されたエラーの推移に応じて、前記受信された前記第１放送信号の高品質データと前記受信された前記第２放送信号の低品質データとのいずれかを選択的に出力する出力工程とを備える。
【００１１】
本発明の作用及び他の利得は次に説明する発明を実施するための形態から明らかにされる。
【図面の簡単な説明】
【００１２】
【図１】第１実施例に係る放送信号受信装置の構成を示すブロック図である。
【図２】第１実施例に係るエラー推移検出処理の流れを示すフローチャートである。
【図３】第１実施例に係るエラー推移解析処理の流れを示すフローチャートである。
【図４】第１実施例に係る出力切換判定処理を示す概念図である。
【図５】第１実施例に係るワンセグ映像データと１２セグ映像データとの切り換えの一例（検出結果Ａの場合）を示す概念図である。
【図６】第１実施例に係るワンセグ映像データと１２セグ映像データとの切り換えの他の例（検出結果Ｂの場合）を示す概念図である。
【図７】第１実施例に係るワンセグ映像データと１２セグ映像データとの切り換えの他の例（検出結果Ｃの場合）を示す概念図である。
【図８】第１実施例に係るワンセグ映像データと１２セグ映像データとの切り換えの他の例（検出結果Ｄの場合）を示す概念図である。
【図９】第１実施例に係るワンセグ映像データと１２セグ映像データとの切り換えの他の例（検出結果Ｅの場合）を示す概念図である。
【発明を実施するための形態】
【００１３】
以下、本発明の実施形態について説明する。
【００１４】
第１実施形態に係る放送信号受信装置は上記課題を解決するために、同一のコンテンツが異なる放送形式によって放送される、高品質データを含む第１放送信号及び低品質データを含む第２放送信号を受信する放送信号受信装置であって、前記第１及び第２放送信号を受信する受信部と、前記受信された前記第１放送信号の高品質データを所定時間分保持する保持部と、前記保持された前記所定時間分の高品質データについて、エラーの推移を検出する検出部と、前記検出されたエラーの推移に応じて、前記受信された前記第１放送信号の高品質データと前記受信された前記第２放送信号の低品質データとのいずれかを選択的に出力する出力部とを備える。
【００１５】
本実施形態に係る放送信号受信装置によれば、その動作時には、同一のコンテンツが異なる放送形式によって放送される（即ち、サイマル放送される）第１及び第２放送信号が受信部によって受信される。第１放送信号は、例えば１２セグの放送信号（以下、「１２セグ信号」と適宜称する）であり、高品質データを含んでいる。第２放送信号は、例えばワンセグの放送信号（以下、「ワンセグ信号」と適宜称する）であり、低品質データを含んでいる。受信部によって受信された第１放送信号の高品質データは、例えばバッファ等である保持部によって一時的に保持される。なお、受信部によって受信された第２放送信号の低品質データは、例えばバッファ等である他の保持部によって一時的に保持される。本発明では、保持部は、第１放送信号の高品質データを所定時間分保持する。
【００１６】
本実施形態では特に、検出部は、保持部によって保持された所定時間分の高品質データについて、エラーの推移を検出する。ここで、本発明に係る「エラーの推移」とは、例えば所定時間における例えばＢＥＲ（Ｂit Error Rate：符号誤り率）やＰＥＳ（Packetized Elementary Stream）パケット等のエラー率の変動の状況など、エラーの経時的な変化を意味する。更に、出力部は、検出部によって検出されたエラーの推移に応じて、第１放送信号の高品質データと第２放送信号の低品質データとのいずれかを選択的に出力する。具体的には、例えば、出力部は、所定時間分の高品質データについて、エラー率が所定の閾値よりも大きくなる期間が所定期間の大部分を占めることがエラーの推移として検出部によって検出された場合には、第２放送信号の低品質データを選択して出力する。或いは、例えば、出力部は、所定時間分の高品質データについて、エラー率が、所定期間のうちの初期の短期間のみ所定の閾値よりも大きく、その後の期間では所定の閾値よりも小さいことがエラーの推移として検出部によって検出された場合には、第１放送信号の高品質データを選択して出力する。或いは、例えば、出力部は、所定時間分の高品質データについて、エラー率が、所定期間のうちの初期の短期間のみ所定の閾値よりも小さく、その後に急にエラーが増加することがエラーの推移として検出部によって検出された場合には、第２放送信号の低品質データを選択して出力する。
【００１７】
よって、例えば、エラーが多く発生した状態の高品質データによる映像が表示されてしまうことを回避して、エラーがほとんど或いは全く発生していない状態の低品質データによる映像を確実に表示できる。更に、例えば、単にエラー率が所定の閾値よりも大きいか否かに応じて、第１放送信号の高品質データと第２放送信号の低品質データとのいずれかを選択的に出力する場合と比較して、高品質データによる映像を表示する時間、即ち、視聴者が高解像度映像を視聴可能な時間を長くすることができる。言い換えれば、可能な限り、高解像度映像を視聴したいという要請に応えることができる。加えて、例えば、第１放送信号の高品質データのエラー率が急に増加する場合に、第１放送信号の高品質データから第２放送信号の低品質データへの切り換えが間に合わず、映像が途切れてしまったり、エラーが多く発生した状態の高品質データによる映像が表示されてしまったりすることを低減或いは抑制できる。したがって、高画質な映像を視聴者に視聴させることができる。
【００１８】
以上説明したように、本実施形態によれば、サイマル放送される、例えば１２セグなどの高品質データと例えばワンセグなどの低品質データとを適切に切り換えることができ、高画質な映像を視聴者に視聴させることが可能となる。
【００１９】
なお、高品質データ及び低品質データは、映像のデータに限定されず、音声のデータや字幕のデータであってもよい。
【００２０】
第１実施形態に係る放送信号受信装置の一の態様では、前記検出部は、前記保持された前記所定時間分の高品質データについて、前記所定時間が複数に分割された分割期間毎のエラー数を、前記エラーの推移として検出する。
【００２１】
この態様によれば、検出部は、所定時間を例えば前半部分と後半部分に分割し、前半部分におけるエラー数と、後半部分におけるエラー数とを検出する。よって、エラーの推移を確実に検出することができる。したがって、出力部によって、エラーの推移に応じて、高品質データと低品質データとのいずれかを、より適切に選択して出力することが可能となる。
【００２２】
第１実施形態に係る放送信号受信装置の他の態様では、前記検出部は、前記保持された前記所定時間分の高品質データに、時間軸で連続的に発生するバーストエラーが含まれているか否かを判定する第１判定手段を含む。
【００２３】
この態様によれば、エラーの推移として、所定時間分の高品質データにバーストエラーが含まれているかが第１判定手段によって判定される。よって、出力部によって、エラーの推移に応じて、高品質データと低品質データとのいずれかを、より適切に選択して出力することが可能となる。
【００２４】
第１実施形態に係る放送信号受信装置の他の態様では、前記検出部は、前記保持された前記所定時間分の高品質データに、時間軸で断続的に発生する断続的エラーが含まれているか否かを判定する第２判定手段を含む。
【００２５】
この態様によれば、エラーの推移として、所定時間分の高品質データに断続的エラーが含まれているかが第２判定手段によって判定される。よって、出力部によって、エラーの推移に応じて、高品質データと低品質データとのいずれかを、より適切に選択して出力することが可能となる。
【００２６】
第１実施形態に係る放送信号受信方法は上記課題を解決するために、同一のコンテンツが異なる放送形式によって放送される、高品質データを含む第１放送信号及び低品質データを含む第２放送信号を受信する装置によって実行される放送信号受信方法であって、前記第１及び第２放送信号を受信する受信工程と、前記受信された前記第１放送信号の高品質データを所定時間分保持する保持工程と、前記保持された前記所定時間分の高品質データについて、エラーの推移を検出する検出工程と、前記検出されたエラーの推移に応じて、前記受信された前記第１放送信号の高品質データと前記受信された前記第２放送信号の低品質データとのいずれかを選択的に出力する出力工程とを備える。
【００２７】
本実施形態に係る放送信号受信方法によれば、前述した第１実施形態に係る放送信号受信装置が享受する利益と同様の利益を享受することができる。
【００２８】
なお、第１実施形態に係る放送信号受信装置に係る実施形態における各種態様に対応して、第１実施形態に係る放送信号受信方法も各種態様を採ることが可能である。
【００２９】
本実施形態の作用及び他の利得は次に説明する実施例から更に明らかにされる。
【実施例】
【００３０】
以下、本発明の実施例について図を参照しつつ説明する。
【００３１】
＜第１実施例＞
第１実施例に係る放送信号受信装置について、図１から図９を参照して説明する。
【００３２】
まず、本実施例に係る放送信号受信装置の構成について、図１を参照して説明する。
【００３３】
図１は、本実施例に係る放送信号受信装置の構成を示すブロック図である。
【００３４】
図１において、本実施例に係る放送信号受信装置１００は、例えば車載用の地デジ受信機であり、同一のコンテンツが異なる放送形式によって放送される（即ち、サイマル放送される）１２セグ信号及びワンセグ信号を受信して、１２セグ信号の映像データ（以下、「１２セグ映像データ」と適宜称する）とワンセグ信号の映像データ（以下、「ワンセグ映像データ」と適宜称する）とのいずれかを選択的に出力する装置である。即ち、放送信号受信装置１００は、サイマル放送される１２セグ映像データとワンセグ映像データとを受信して、出力を１２セグ映像データとワンセグ映像データとで切り換える。なお、放送信号受信装置１００の出力（即ち、１２セグ映像データ又はワンセグ映像データ）は、スケーラなどを経て表示デバイスに入力される。表示デバイスは、入力された１２セグ映像データ又はワンセグ映像データに基づいて映像を表示する。１２セグ映像データの映像は、例えば１９２０×１０８０画素などの高解像度映像であり、ワンセグ映像データの映像は、例えば３２０×１３０画素などの低解像度映像である。１２セグ映像データは、本発明に係る「高品質データ」の一例であり、ワンセグ映像データは、本発明に係る「低品質データ」の一例である。
【００３５】
本実施例に係る放送信号受信装置１００は、チューナ部１２と、復調部１４と、ＴＳ−Ｄｅｍｕｘ(Transport Stream-Demultiplexer)１６と、ＰＥＳバッファ１８及び２０と、Ｈ．２６４デコーダ２２と、ＭＰＥＧ２(Moving Picture Experts Group2)ビデオデコーダ２４と、フレームバッファ２６及び２８と、エラー推移検出部３０と、出力切換判定部３２と、出力切換部３４と、遅延量検出部３６とを備えている。
【００３６】
チューナ部１２は、アンテナ１０によって受信された地デジのＲＦ（Radio Frequency）信号をＩＦ（Intermediate Frequency）信号に変換して復調部１４に出力する。なお、チューナ部１２は、後述する復調部１４及びＴＳ−Ｄｅｍｕｘ１６とともに、本発明に係る「受信部」の一例を構成する。
【００３７】
復調部１４は、チューナ１２から入力されたＩＦ信号をＭＰＥＧ２−ＴＳ（Transport Stream：トランスポートストリーム）に変換してＴＳ−Ｄｅｍｕｘ１６に出力する。なお、以下では、ＭＰＥＧ２−ＴＳを単に「ＴＳ」と適宜称する。
【００３８】
ＴＳ−Ｄｅｍｕｘ１６は、復調部１４から入力されたＴＳを、映像や音声等の機能ごとのＰＥＳ（Packetized Elementary Stream）パケットに分離する。ＴＳ−Ｄｅｍｕｘ１６は、分離した後のＰＥＳパケットのうち、ワンセグ映像データに相当するＰＥＳパケットをＰＥＳバッファ１８に出力し、１２セグ映像データに相当するＰＥＳパケットをＰＥＳバッファ２０に出力する。
【００３９】
ＰＥＳバッファ１８は、ＴＳ−Ｄｅｍｕｘ１６から入力されるワンセグ映像データに相当するＰＥＳパケットを一時的に保持或いは蓄積するバッファ（即ち、ワンセグ用のＰＥＳバッファ）である。ＰＥＳバッファ１８は、ワンセグ映像データに相当するＰＥＳパケットを所定時間Ｔ１分保持することが可能に構成されている。ＰＥＳバッファ１８は、ＴＳ−Ｄｅｍｕｘ１６から入力されるワンセグ映像データに相当するＰＥＳパケットを、所定時間遅延させてＨ．２６４デコーダ２２に出力する。
【００４０】
ＰＥＳバッファ２０は、本発明に係る「保持部」の一例であり、ＴＳ−Ｄｅｍｕｘ１６から入力される１２セグ映像データに相当するＰＥＳパケットを一時的に保持或いは蓄積するバッファ（即ち、１２セグ用のＰＥＳバッファ）である。ＰＥＳバッファ２０は、１２セグ映像データに相当するＰＥＳパケットを所定時間Ｔ１分保持することが可能に構成されている。ＰＥＳバッファ２０は、ＴＳ−Ｄｅｍｕｘ１６から入力される１２セグ映像データに相当するＰＥＳパケットを、所定時間Ｔ１遅延させてＭＰＥＧ２ビデオデコーダ２４に出力する。
【００４１】
Ｈ．２６４デコーダ２２は、ＰＥＳバッファ１８から入力されたワンセグ映像データに相当するＰＥＳパケットに対してデコード処理を行い、このデコード処理後のデータであるワンセグ映像データをフレーム毎にフレームバッファ２６に出力する。
【００４２】
ＭＰＥＧ２ビデオデコーダ２４は、ＰＥＳバッファ２０から入力された１２セグ映像データに相当するＰＥＳパケットに対してデコード処理を行い、このデコード処理後のデータである１２セグ映像データをフレーム毎にフレームバッファ２８に出力する。
【００４３】
フレームバッファ２６は、Ｈ．２６４デコーダ２２から入力されるワンセグ映像データを一時的に保持するフレームバッファ（即ち、ワンセグ用のフレームバッファ）である。フレームバッファ２６は、一時的に保持したワンセグ映像データを出力切換部３４に出力する。
【００４４】
フレームバッファ２８は、ＭＰＥＧ２ビデオデコーダ２４から入力される１２セグ映像データを一時的に保持するフレームバッファ（即ち、１２セグ用のフレームバッファ）である。フレームバッファ２８は、一時的に保持した１２セグ映像データを出力切換部３４に出力する。
【００４５】
出力切換部３４は、後述する出力切換判定部３２の判定結果に応じて、フレームバッファ２６から入力されたワンセグ映像データと、フレームバファ２８から入力された１２セグ映像データとのいずれかを出力する。即ち、出力切換部３４は、後述する出力切換判定部３２の判定結果に応じて、出力を、フレームバッファ２６から入力されたワンセグ映像データとフレームバッファ２８から入力された１２セグ映像データとの間で切り換える。なお、出力切換部３４は、後述する出力切換判定部３２とともに、本発明に係る「出力部」の一例を構成する。
【００４６】
エラー推移検出部３０は、本発明に係る「検出部」の一例であり、ＰＥＳバッファ２０に保持された所定時間Ｔ１分の１２セグ映像データに相当するＰＥＳパケットについて、エラーの推移（即ち、エラーの経時的な変化）を検出するエラー推移検出処理を行う。具体的には、エラー推移検出部３０は、例えば、ＰＥＳバッファ２０に保持されたＰＥＳパケットのＰＴＳ（Presentation Time Stamp）情報（即ち、再生を行う時刻情報）に基づいて、所定時間Ｔ１分の１２セグ映像データのＰＥＳパケットについてエラーの推移を検出する。なお、エラー推移検出部３０が行うエラー推移検出処理については、後に詳細に説明する。また、エラー推移検出部３０は、ＴＳ−Ｄｅｍｕｘ１６から得られるＴＳのエラー情報（例えばトランスポートエラーフラグやコンティニュイティカウンタなど）やＴＳのクロック情報（例えばＰＣＲ（Program Clock Reference）情報）に基づいて、エラーの推移を検出してもよい。
【００４７】
出力切換判定部３２は、エラー推移検出部３０によるエラー推移検出処理の検出結果に基づいて、出力切換部３４がワンセグ映像データと１２セグ映像データとのいずれを出力すべきか、即ち、ワンセグ映像データと１２セグ映像データとの切り換えタイミングを判定する出力切換判定処理を行う。出力切換判定部３２は、出力切換判定処理の結果を出力切換部３４に出力する。
【００４８】
遅延量検出部３６は、ワンセグ映像データの映像（以下、「ワンセグ映像」と適宜称する）と１２セグ映像データの映像（以下、「１２セグ映像」と適宜称する）との時間的なずれ量（即ち、表示時間差）を検出する。遅延量検出部３６は、検出した表示時間差をＭＰＥＧ２ビデオデコーダ２４に出力する。ＭＰＥＧ２ビデオデコーダ２４は、遅延量検出部３６によって検出された表示時間差に基づいて、表示時間差が小さくなるように、デコード処理を行って１２セグ映像データを出力する。これにより、ワンセグ映像データと１２セグ映像データとの切り換え時に視聴者に違和感が生じることを低減或いは防止できる。
【００４９】
次に、放送信号受信装置１００におけるワンセグ映像データと１２セグ映像データとの切り換えについて、図２から図４を参照して説明する。
【００５０】
図２は、放送信号受信装置１００におけるエラー推移検出処理の流れを示すフローチャートである。
【００５１】
図２において、エラー推移検出処理では、まず、ＰＥＳバッファ２０に保持されたＰＥＳパケットについて、単位時間あたりのＰＥＳパケット数に基づいてエラーパケット数がエラー推移検出部３０によって算出される（ステップＳ１１）。即ち、エラー推移検出部３０は、ＰＥＳパケットのＰＴＳ情報に基づいて、単位時間（例えば１秒間）あたりに含まれているべきＰＥＳパケット数（例えば３０パケット）と、単位時間に実際に含まれているＰＥＳパケット数（例えば２８パケット）との差をエラーパケット数（例えば２パケット）として算出する。
【００５２】
次に、デコード直前のＰＥＳパケットであるか否かが判定される（ステップＳ１２）。
【００５３】
デコード直前のＰＥＳパケットであると判定された場合には（ステップＳ１２：ＹＥＳ）、そのＰＥＳパケットにエラーがあるか否かが判定される（ステップＳ１３）。
【００５４】
エラーがないと判定された場合には（ステップＳ１３：ＮＯ）、ワンセグが選択されているか否かが判定される（ステップＳ１４）。即ち、この場合には（ステップＳ１３：ＮＯ）、現在、出力切換判定部３２により行われる出力切換判定処理の結果としてワンセグ映像データが選択されているか否かが判定される。
【００５５】
ワンセグが選択されていない（即ち、１２セグが選択されている）と判定された場合には（ステップＳ１４：ＮＯ）、１２セグを出力すべきであると出力切換判定部３２によって判定される（ステップＳ１８）。即ち、デコード直前のＰＥＳパケットにエラーが無く、かつ、出力切換部３４の出力として１２セグ映像データが選択されている場合には（ステップＳ１４：ＮＯ）、出力切換判定部３２は、出力切換部３４の出力として１２セグ映像データを選択したまま維持する。
【００５６】
ワンセグが選択されていると判定された場合には（ステップＳ１４：ＹＥＳ）、ワンセグを出力すべきであると出力切換判定部３２によって判定される（ステップＳ１７）。即ち、デコード直前のＰＥＳパケットにエラーが無く、かつ、出力切換部３４の出力としてワンセグ映像データが選択されている場合には（ステップＳ１４：ＹＥＳ）、出力切換判定部３２は、出力切換部３４の出力としてワンセグ映像データを選択し続ける。
【００５７】
一方、エラーがあると判定された場合には（ステップＳ１３：ＹＥＳ）、単位時間あたりのエラーパケット数が閾値Ｎａ以上であるか否かが判定される（ステップＳ１５）。
【００５８】
単位時間あたりのエラーパケット数が閾値Ｎａ以上であると判定された場合には（ステップＳ１５：ＹＥＳ）、出力切換判定部３２は、出力切換部３４の出力としてワンセグを選択する（ステップＳ１７）。即ち、デコード直前の１２セグ映像データに相当するＰＥＳパケットについて、単位時間あたりのエラーパケット数が閾値Ｎａ以上であると判定された場合（ステップＳ１５：ＹＥＳ）、言い換えれば、視聴者の視聴が困難であるほど、１２セグ映像データにエラーが発生していると予測される場合には、出力切換判定部３２は、出力切換部３４の出力としてワンセグ映像データを選択する。
【００５９】
単位時間あたりのエラーパケット数が閾値Ｎａ以上でない（即ち、単位時間あたりのエラーパケット数が閾値Ｎａよりも小さい）と判定された場合には（ステップＳ１５：ＮＯ）、この単位時間あたりのエラーパケット数（即ち、エラー率）を例えばメモリー等の記憶手段に保存する（ステップＳ１６）。
【００６０】
ステップＳ１６に係る処理（即ち、単位時間あたりのエラーパケット数を記憶手段に保存する処理）は、ＰＥＳバッファ２０に保持されたＰＥＳパケットの全てについて順次行われる。
【００６１】
ＰＥＳバッファ２０に保持されたＰＥＳパケットの全てについて、単位時間あたりのエラーパケット数が保存された後に、後述するエラー推移解析処理における解析期間がエラー推移検出部３０によって設定される（ステップＳ１９）。即ち、エラー推移検出部３０は、所定時間Ｔ１を前半部分と後半部分に分割し、この前半部分及び後半部分をそれぞれ解析期間として設定する。
【００６２】
解析期間が設定された（ステップＳ１９）後、エラー推移解析処理が行われる（ステップＳ２０）。
【００６３】
図３は、エラー推移検出部３０が行うエラー推移解析処理の流れを示すフローチャートである。
【００６４】
図３において、まず、所定期間Ｔ１の前半部分及び後半部分のいずれのエラーパケット数も閾値Ｎｂ以上であるか否かがエラー推移検出部３０によって判定される（ステップＳ３１）。即ち、エラー推移検出部３０は、所定期間Ｔ１の前半部分のエラーパケット数が閾値Ｎｂ以上であり、かつ、所定期間Ｔ１の後半部分のエラーパケット数が閾値Ｎｂ以上であるか否かを判定する。
【００６５】
所定期間Ｔ１の前半部分及び後半部分のいずれのエラーパケット数も閾値Ｎｂ以上であると判定された場合には（ステップＳ３１：ＹＥＳ）、連続するエラーパケット数が閾値Ｎｃよりも少ないか否かがエラー推移検出部３０によって判定される（ステップＳ３５）。
【００６６】
連続するエラーパケット数が閾値Ｎｃよりも少なくない（即ち、連続するエラーパケット数が閾値Ｎｃ以上である）と判定された場合には（ステップＳ３５：ＮＯ）、エラー推移検出部３０は、ＰＥＳバッファ２０に保持された所定時間Ｔ１分の１２セグ映像データのＰＥＳパケットにバーストエラーが発生していると判定する（ステップＳ４１）。エラー推移検出部３０は、この判定結果を、エラー推移検出処理の検出結果（検出結果Ｆ）として、出力切換判定部３２に出力する。
【００６７】
連続するエラーパケット数が閾値Ｎｃよりも少ないと判定された場合には（ステップＳ３５：ＹＥＳ）、エラー推移検出部３０は、ＰＥＳバッファ２０に保持された所定時間Ｔ１分の１２セグ映像データのＰＥＳパケットに断続的エラー（即ち、ランダムエラー）が発生していると判定する（ステップＳ４０）。エラー推移検出部３０は、この判定結果を、エラー推移検出処理の検出結果（検出結果Ｅ）として、出力切換判定部３２に出力する。
【００６８】
一方、所定期間Ｔ１の前半部分及び後半部分の少なくとも一方のエラーパケット数が閾値Ｎｂよりも少ないと判定された場合には（ステップＳ３１：ＮＯ）、前半部分のエラーパケット数が後半部分のエラーパケット数よりも多いか否かがエラー推移検出部３０によって判定される（ステップＳ３２）。
【００６９】
前半部分のエラーパケット数が後半部分のエラーパケット数よりも多くはない（即ち、前半部分のエラーパケット数が後半部分のエラーパケット数以下である）と判定された場合には（ステップＳ３２：ＮＯ）、後半部分のエラーパケット数が所定の閾値Ｎｂ以上であるか否かがエラー推移検出部３０によって判定される（ステップＳ３４）。
【００７０】
後半部分のエラーパケット数が所定の閾値Ｎｂ以上であると判定された場合には（ステップＳ３４：ＹＥＳ）、エラー推移検出部３０は、ＰＥＳバッファ２０に保持された所定時間Ｔ１分の１２セグ映像データのＰＥＳパケットに発生するエラーは、軽微なエラーからバーストエラーへ推移すると判定すると判定する（ステップＳ３９）。即ち、エラー推移検出部３０は、所定時間Ｔ１分の１２セグ映像データのＰＥＳパケットのうち、所定時間Ｔ１の前半部分に相当する１２セグ映像データのＰＥＳパケットには軽微なエラーが発生し、所定時間Ｔ１の後半部分に相当する１２セグ映像データのＰＥＳパケットにはバーストエラーが発生していると判定する。エラー推移検出部３０は、この判定結果を、エラー推移検出処理の検出結果（検出結果Ｄ）として、出力切換判定部３２に出力する。
【００７１】
後半部分のエラーパケット数が所定の閾値Ｎｂ以上でない（即ち、後半部分のエラーパケット数が所定の閾値Ｎｂよりも少ない）と判定された場合には（ステップＳ３４：ＮＯ）、エラー推移検出部３０は、ＰＥＳバッファ２０に保持された所定時間Ｔ１分の１２セグ映像データのＰＥＳパケットに軽微な断続的エラーが発生していると判定する（ステップＳ３８）。エラー推移検出部３０は、この判定結果を、エラー推移検出処理の検出結果（検出結果Ｃ）として、出力切換判定部３２に出力する。
【００７２】
一方、前半部分のエラーパケット数が後半部分のエラーパケット数よりも多いと判定された場合には（ステップＳ３２：ＹＥＳ）、前半部分のエラーパケット数が所定の閾値Ｎｂ以上であるか否かがエラー推移検出部３０によって判定される（ステップＳ３３）。
【００７３】
前半部分のエラーパケット数が所定の閾値Ｎｂ以上であると判定された場合には（ステップＳ３３：ＹＥＳ）、エラー推移検出部３０は、ＰＥＳバッファ２０に保持された所定時間Ｔ１分の１２セグ映像データのＰＥＳパケットに発生するエラーは、瞬間的なバーストエラーから軽微なエラー以下へ推移すると判定する（ステップＳ３７）。即ち、エラー推移検出部３０は、所定時間Ｔ１分の１２セグ映像データのＰＥＳパケットのうち、所定時間Ｔ１の前半部分に相当する１２セグ映像データのＰＥＳパケットには瞬間的なバーストエラーが発生し、所定時間Ｔ１の後半部分に相当する１２セグ映像データのＰＥＳパケットには軽微なエラーが発生している、或いはエラーがほとんど発生してないと判定する。エラー推移検出部３０は、この判定結果を、エラー推移検出処理の検出結果（検出結果Ｂ）として、出力切換判定部３２に出力する。
【００７４】
前半部分のエラーパケット数が所定の閾値Ｎｂ以上でない（即ち、前半部分のエラーパケット数が所定の閾値Ｎｂよりも少ない）と判定された場合には（ステップＳ３３：ＮＯ）、エラー推移検出部３０は、ＰＥＳバッファ２０に保持された所定時間Ｔ１分の１２セグ映像データのＰＥＳパケットに、短時間かつ軽微なエラーが発生していると判定する（ステップＳ３６）。エラー推移検出部３０は、この判定結果を、エラー推移検出処理の検出結果（検出結果Ａ）として、出力切換判定部３２に出力する。
【００７５】
このように、エラー推移検出部３０は、ＰＥＳバッファ２０に保持された所定時間Ｔ１分のＰＥＳパケットについて、エラーの推移（即ち、所定時間Ｔ１におけるエラーパケット数の経時的な変化）を検出する。本実施例では、エラー推移検出部３０は、エラーの推移を検出した検出結果として、前述した検出結果Ａ、Ｂ、Ｃ、Ｄ、Ｅ及びＦの６種類の検出結果を出力切換判定部３２に出力するように構成されている。なお、エラー推移検出部３０は、前述した検出結果Ａ、Ｂ、Ｃ、Ｄ、Ｅ及びＦの６種類の検出結果とは異なるエラーの推移を示す他の検出結果を出力切換判定部３２に出力するように構成されてもよい。
【００７６】
出力切換判定部３２は、エラー推移検出部３０から入力されるエラー推移検出処理の検出結果に基づいて、出力切換部３４がワンセグ映像データと１２セグ映像データとのいずれを出力すべきかを判定する出力切換判定処理を行う。
【００７７】
図４は、出力切換判定部３２が行う出力切換判定処理を示す概念図である。なお、図４（ａ）は、エラー推移検出処理の検出結果が検出結果Ａ又はＣである場合の出力切換判定処理を示している。図４（ｂ）は、エラー推移検出処理の検出結果が検出結果Ｂである場合の出力切換判定処理を示している。図４（ｃ）は、エラー推移検出処理の検出結果が検出結果Ｄ、Ｅ又はＦである場合の出力切換判定処理を示している。
【００７８】
図４（ａ）に示すように、出力切換判定部３２は、エラー推移検出部３０から検出結果Ａ又はＣが入力された場合には、出力切換部３４が１２セグ映像データを出力すべきであると判定する（ステップＳ５１）。即ち、出力切換判定部３２は、ＰＥＳバッファ２０に保持された所定時間Ｔ１分の１２セグ映像データに、短時間かつ軽微なエラーが発生している場合（即ち、検出結果Ａの場合）、又は軽微な断続的エラーが発生している場合（即ち、検出結果Ｃの場合）には、この所定時間Ｔ１分の１２セグ映像データを出力すべきであると判定する。出力切換部３４は、この判定結果に応じて、この所定時間Ｔ１分の１２セグ映像データを出力する。つまり、本実施例では、所定時間Ｔ１分の１２セグ映像データにエラーがあっても視聴にほとんど或いは全く悪影響を与えないような場合には、この所定時間Ｔ１分の１２セグ映像データを出力する。なお、１２セグ映像データに発生するエラーが短時間かつ軽微なエラー或いは軽微な断続的エラーである場合には、視聴にほとんど或いは全く悪影響を与えない。特に、映像が静止画像である場合には悪影響は実際上ほとんど無い。
【００７９】
図４（ｂ）に示すように、出力切換判定部３２は、エラー推移検出部３０から検出結果Ｂが入力された場合には、出力切換部３４が出力を１２セグ映像データからワンセグ映像データへ移行すべきあると判定する（ステップＳ５２）。即ち、出力切換判定部３２は、ＰＥＳバッファ２０に保持された所定時間Ｔ１分の１２セグ映像データに発生するエラーが、瞬間的なバーストエラーから軽微なエラー以下へ推移する場合（即ち、検出結果Ｂの場合）には、この所定時間Ｔ１の前半部分ではワンセグ映像データを出力し、この所定時間Ｔ１の後半部分では１２セグ映像データを出力すべきであると判定する。出力切換部３４は、この判定結果に応じて、この所定時間Ｔ１の前半部分ではワンセグ映像データを出力し、この所定時間Ｔ１の後半部分では１２セグ映像データを出力する。つまり、本実施例では、所定時間Ｔ１分の１２セグ映像データについて、所定時間Ｔ１の前半部分において一時的に大きなエラーが数フレーム分発生し、その後、エラーが無くなるか、視聴にほとんど或いは全く悪影響を与えないような場合には、所定時間Ｔ１の前半部分ではワンセグ映像データを出力し、所定時間Ｔ１の後半部分では１２セグ映像データを出力する。
【００８０】
図４（ｃ）に示すように、出力切換判定部３２は、エラー推移検出部３０から検出結果Ｄ、Ｅ又はＦが入力された場合には、出力切換部３４がワンセグ映像データを出力すべきであると判定する（ステップＳ５３）。即ち、出力切換判定部３２は、ＰＥＳバッファ２０に保持された所定時間Ｔ１分の１２セグ映像データに発生するエラーが、軽微なエラーからバーストエラーへ推移する場合（検出結果Ｄの場合）、ＰＥＳバッファ２０に保持された所定時間Ｔ１分の１２セグ映像データのＰＥＳパケットに断続的エラーが発生している場合（検出結果Ｅの場合）、又はＰＥＳバッファ２０に保持された所定時間Ｔ１分の１２セグ映像データのＰＥＳパケットにバーストエラーが発生している場合（検出結果Ｆの場合）には、この所定時間Ｔ１では、ワンセグ映像データを出力すべきであると判定する。出力切換部３４は、この判定結果に応じて、この所定時間Ｔ１分のワンセグ映像データを出力する。
【００８１】
このように、本実施例に係る放送信号受信装置１００によれば、エラー推移検出部３０によって検出されたエラーの推移に応じて、１２セグ映像データとワンセグ映像データとが選択的に出力される（即ち、出力が１２セグ映像データとワンセグ映像データとの間で切り換えられる）ので、エラーが多く発生した状態の１２セグ映像が表示されてしまうことを回避して、エラーがほとんど或いは全く発生していない状態のワンセグ映像データによる映像を確実に表示できる（ステップＳ５３）。更に、例えば、単に、単位時間あたりのエラーパケット数（エラー率）が所定の閾値よりも大きいか否かに応じて、１２セグ映像データとワンセグ映像データとのいずれかを選択的に出力する場合と比較して、１２セグ映像データによる映像を表示する時間、即ち、視聴者が１２セグ映像を視聴可能な時間を長くすることができる（ステップＳ５１、Ｓ５２）。言い換えれば、可能な限り、高解像度映像である１２セグ映像を視聴したいという視聴者の要請に応えることができる。加えて、例えば、１２セグ映像データのエラー率が急に増加する場合に、１２セグ映像データからワンセグ映像データへの切り換えが間に合わず、映像が途切れてしまったり、エラーが多く発生した状態の１２セグ映像データによる映像が表示されてしまったりすることを低減或いは抑制できる（ステップＳ５２）。したがって、本実施例に係る放送信号受信装置１００によれば、高画質な映像を視聴者に視聴させることができる。
【００８２】
次に、放送信号受信装置１００におけるワンセグ映像データと１２セグ映像データとの切り換えについて、図５から図９を参照して説明を加える。以下では、比較例に係る放送信号受信装置におけるワンセグ映像データと１２セグ映像データとの切り換えと比較しながら、本実施例に係る放送信号受信装置１００におけるワンセグ映像データと１２セグ映像データとの切り換えについて説明する。
【００８３】
比較例に係る放送信号受信装置は、ＭＰＥＧ２ビデオデコーダによってデコードされる直前の１２セグ映像データのエラー率（即ち、単位時間あたりのエラーパケット数）に応じて、出力をワンセグ映像データと１２セグ映像データとの間で切り換える。比較例に係る放送信号受信装置は、１２セグ映像データを出力している（即ち、出力が１２セグ映像データである）ときに、エラー率が閾値Ｃ１よりも大きくなった場合には、出力を１２セグ映像データからワンセグ映像データに切り換える。また、比較例に係る放送信号受信装置は、ワンセグ映像データを出力している（即ち、出力がワンセグ映像データである）ときに、エラー率が閾値Ｃ２（但し、閾値Ｃ２は閾値Ｃ１よりも小さな値）よりも小さくなった場合には、出力をワンセグ映像データから１２セグ映像データに切り換える。
【００８４】
図５は、本実施例に係るワンセグ映像データと１２セグ映像データとの切り換えの一例を、比較例と比較して示す概念図である。図５には、前述したエラー推移検出処理の検出結果として検出結果Ａが得られる場合の１２セグ映像データのエラー率（図中、１２セグのエラー率）の経時的な変化に対応するワンセグ映像データと１２セグ映像データとの切り換えが、本実施例及び比較例の各々について示されている。
【００８５】
図５では、時点ｔ１１から時点ｔ１２までの期間Ｔａ１において、１２セグ映像データに短時間かつ軽微なエラーが発生している。
【００８６】
図５に示すように、比較例に係る放送信号受信装置は、１２セグ映像データを出力しているときに、１２セグ映像データのエラー率が時点ｔ１１で閾値Ｃ１よりも大きくなる場合には、時点ｔ１１で出力を１２セグ映像データからワンセグ映像データに切り換え、その後、１２セグ映像データのエラー率が時点ｔ１２で閾値Ｃ２よりも小さくなる場合には、時点ｔ１２で出力をワンセグ映像データから１２セグ映像データに切り換える。即ち、比較例に係る放送信号受信装置は、短時間かつ軽微なエラーが発生する期間Ｔａ１において、ワンセグ映像データを出力する。
【００８７】
これに対して、本実施例に係る放送信号受信装置１００は、１２セグ映像データに短時間かつ軽微なエラーが発生している場合には、短時間かつ軽微なエラーは視聴にほとんど或いは全く悪影響を及ぼさないので、期間Ｔａ１においても１２セグ映像データを出力する。即ち、１２セグ映像データに短時間かつ軽微なエラーが発生することがエラー推移検出部３０によって検出された場合（即ち、検出結果Ａの場合）には、１２セグ映像データを出力する（図４のステップＳ５１も参照）。よって、本実施例に係る放送信号受信装置１００によれば、比較例に係る放送信号受信装置よりも、１２セグ映像データによる映像を表示する時間、即ち、視聴者が１２セグ映像を視聴可能な時間を長くすることができる。
【００８８】
図６は、本実施例に係るワンセグ映像データと１２セグ映像データとの切り換えの他の例を、比較例と比較して示す概念図である。図６には、前述したエラー推移検出処理の検出結果として検出結果Ｂが得られる場合の１２セグ映像データのエラー率の経時的な変化に対応するワンセグ映像データと１２セグ映像データとの切り換えが、本実施例及び比較例の各々について示されている。
【００８９】
図６に示すように、比較例に係る放送信号受信装置は、１２セグ映像データを出力しているときに、１２セグ映像データのエラー率が時点ｔ２２で閾値Ｃ１よりも大きくなる場合には、時点ｔ２２で出力を１２セグ映像データからワンセグ映像データに切り換え、その後、１２セグ映像データのエラー率が時点ｔ２３で閾値Ｃ２よりも小さくなる場合には、時点ｔ２３で出力をワンセグ映像データから１２セグ映像データに切り換える。即ち、比較例に係る放送信号受信装置は、瞬間的なバーストエラーが発生する期間Ｔａ２において、ワンセグ映像データを出力する。ここで、比較例に係る放送信号受信装置では、バーストエラーが発生し始める時点ｔ２２における１２セグ映像データからワンセグ映像データへの切り換えが間に合わず、映像が途切れてしまったり、エラーが多く発生した状態の１２セグ映像データによる映像が表示されてしまったりするという事態が生じ得る。
【００９０】
これに対して、本実施例に係る放送信号受信装置１００は、１２セグ映像データに発生するエラーが瞬間的なバーストエラーから軽微なエラー以下へ推移する場合（即ち、検出結果Ｂの場合）には、バーストエラーが発生する期間Ｔａ２においてワンセグ映像データを出力し、１２セグ映像データに発生するエラーが軽微なエラー以下である時点ｔ２３以後の期間において１２セグ映像データを出力する。ここで、本実施例に係る放送信号受信装置１００によれば、１２セグ映像データに発生するエラーが軽微なエラーからバーストエラーへ推移する場合（即ち、検出結果Ｄの場合）には、出力切換判定部３２はワンセグ映像データを出力すべきであると判定する（図４のステップＳ５３も参照）。即ち、本実施例に係る放送信号受信装置１００では、バーストエラー（即ち、図６においてエラー率が所定時間以上連続して閾値Ｃ１以上となるエラー）が発生し始める時点ｔ２２よりも前の時点２１において、出力が１２セグ映像データからワンセグ映像データに切り換えられる。よって、比較例に係る放送信号受信装置では生じ得る、１２セグ映像データからワンセグ映像データへの切り換えが間に合わず、映像が途切れてしまったり、エラーが多く発生した状態の１２セグ映像データによる映像が表示されてしまったりするという事態を回避できる。
【００９１】
図７は、本実施例に係るワンセグ映像データと１２セグ映像データとの切り換えの他の例を、比較例と比較して示す概念図である。図７には、前述したエラー推移検出処理の検出結果として検出結果Ｃが得られる場合の１２セグ映像データのエラー率の経時的な変化に対応するワンセグ映像データと１２セグ映像データとの切り換えが、本実施例及び比較例の各々について示されている。
【００９２】
図７では、時点ｔ３１から時点ｔ３２までの期間、時点ｔ３３から時点３４までの期間、及び時点３５から時点３６までの期間において、１２セグ映像データに軽微な断続的エラーが発生している。
【００９３】
図７に示すように、比較例に係る放送信号受信装置は、１２セグ映像データを出力しているときに、１２セグ映像データのエラー率が時点ｔ３１で閾値Ｃ１よりも大きくなる場合には、時点ｔ３１で出力を１２セグ映像データからワンセグ映像データに切り換え、その後、１２セグ映像データのエラー率が時点ｔ３２で閾値Ｃ２よりも小さくなる場合には、時点ｔ３２で出力をワンセグ映像データから１２セグ映像データに切り換える。更に、比較例に係る放送信号受信装置は、１２セグ映像データのエラー率が時点ｔ３３で閾値Ｃ１よりも大きくなる場合には、時点ｔ３３で出力を１２セグ映像データからワンセグ映像データに切り換え、その後、１２セグ映像データのエラー率が時点ｔ３４で閾値Ｃ２よりも小さくなる場合には、時点ｔ３４で出力をワンセグ映像データから１２セグ映像データに切り換える。更に、比較例に係る放送信号受信装置は、１２セグ映像データのエラー率が時点ｔ３５で閾値Ｃ１よりも大きくなる場合には、時点ｔ３５で出力を１２セグ映像データからワンセグ映像データに切り換え、その後、１２セグ映像データのエラー率が時点ｔ３６で閾値Ｃ２よりも小さくなる場合には、時点ｔ３６で出力をワンセグ映像データから１２セグ映像データに切り換える。このように、比較例に係る放送信号受信装置によれば、１２セグ映像データに軽微な断続的エラーが発生する場合、１２セグ映像データとワンセグ映像データとの切り換えが頻繁に行われる。よって、１２セグ映像データとワンセグ映像データとの切り換えに伴う頻繁な画質変化の発生や映像に生じるノイズが増大してしまうおそれがある。
【００９４】
これに対して、本実施例に係る放送信号受信装置１００は、軽微な断続的エラーが発生している場合には、軽微な断続的エラーは、エラーコンシールメント技術などを用いることで視聴にほとんど或いは全く悪影響を及ぼさないので、軽微な断続的エラーが発生している期間においても１２セグ映像データを出力する。即ち、１２セグ映像データに軽微な断続的エラーが発生することがエラー推移検出部３０によって検出された場合（即ち、検出結果Ｃの場合）には、１２セグ映像データを出力する（図４のステップＳ５１も参照）。よって、１２セグ映像データとワンセグ映像データとの切り換えが頻繁に行われることを抑制でき、１２セグ映像データとワンセグ映像データとの切り換えに伴う頻繁な画質変化の発生や映像に生じるノイズを低減できる。更に、本実施例に係る放送信号受信装置１００によれば、比較例に係る放送信号受信装置よりも、１２セグ映像データによる映像を表示する時間、即ち、視聴者が１２セグ映像を視聴可能な時間を長くすることができる。
【００９５】
図８は、本実施例に係るワンセグ映像データと１２セグ映像データとの切り換えの他の例を、比較例と比較して示す概念図である。図８には、前述したエラー推移検出処理の検出結果として検出結果Ｄが得られる場合の１２セグ映像データのエラー率の経時的な変化に対応するワンセグ映像データと１２セグ映像データとの切り換えが、本実施例及び比較例の各々について示されている。
【００９６】
図８では、時点ｔ４２から時点ｔ４３までの期間Ｔａ４において、１２セグ映像データに軽微なエラーが発生した後にバーストエラーが発生している。
【００９７】
図８に示すように、比較例に係る放送信号受信装置は、１２セグ映像データを出力しているときに、１２セグ映像データのエラー率が時点ｔ４２で閾値Ｃ１よりも大きくなる場合には、時点ｔ４２で出力を１２セグ映像データからワンセグ映像データに切り換え、その後、１２セグ映像データのエラー率が時点ｔ４３で閾値Ｃ２よりも小さくなる場合には、時点ｔ４３で出力をワンセグ映像データから１２セグ映像データに切り換える。ここで、比較例に係る放送信号受信装置では、軽微なエラーが発生し始める時点ｔ４２における１２セグ映像データからワンセグ映像データへの切り換えが間に合わず、映像が途切れてしまったり、エラーが多く発生した状態の１２セグ映像データによる映像が表示されてしまったりするという事態が生じ得る。
【００９８】
これに対して、本実施例に係る放送信号受信装置１００は、１２セグ映像データに発生するエラーが軽微なエラーからバーストエラーへ推移する場合（即ち、検出結果Ｄの場合）には、１２セグ映像データに発生するエラーが軽微なエラーからバーストエラーへ推移する期間Ｔａ４においてワンセグ映像データを出力する（図４のステップＳ５３も参照）。ここで、本実施例に係る放送信号受信装置１００によれば、１２セグ映像データに軽微なエラー（即ち、図８においてエラー率が短時間のみ閾値Ｃ１以上となるエラー）が発生し始める時点ｔ４２よりも前の時点４１において、出力が１２セグ映像データからワンセグ映像データに切り換えられる。よって、比較例に係る放送信号受信装置では生じ得る、１２セグ映像データからワンセグ映像データへの切り換えが間に合わず、映像が途切れてしまったり、エラーが多く発生した状態の１２セグ映像データによる映像が表示されてしまったりするという事態を回避できる。
【００９９】
図９は、本実施例に係るワンセグ映像データと１２セグ映像データとの切り換えの他の例を、比較例と比較して示す概念図である。図９には、前述したエラー推移検出処理の検出結果として検出結果Ｅが得られる場合の１２セグ映像データのエラー率の経時的な変化に対応するワンセグ映像データと１２セグ映像データとの切り換えが、本実施例及び比較例の各々について示されている。
【０１００】
図９では、時点ｔ５１から時点ｔ５７までの期間において、１２セグ映像データに断続的エラーが発生している。
【０１０１】
図９に示すように、比較例に係る放送信号受信装置は、１２セグ映像データを出力しているときに、１２セグ映像データのエラー率が時点ｔ５２で閾値Ｃ１よりも大きくなる場合には、時点ｔ５２で出力を１２セグ映像データからワンセグ映像データに切り換え、その後、１２セグ映像データのエラー率が時点ｔ５３で閾値Ｃ２よりも小さくなる場合には、時点ｔ５３で出力をワンセグ映像データから１２セグ映像データに切り換える。更に、比較例に係る放送信号受信装置は、１２セグ映像データのエラー率が時点ｔ５４で閾値Ｃ１よりも大きくなる場合には、時点ｔ５４で出力を１２セグ映像データからワンセグ映像データに切り換え、その後、１２セグ映像データのエラー率が時点ｔ５５で閾値Ｃ２よりも小さくなる場合には、時点ｔ５５で出力をワンセグ映像データから１２セグ映像データに切り換える。更に、比較例に係る放送信号受信装置は、１２セグ映像データのエラー率が時点ｔ５６で閾値Ｃ１よりも大きくなる場合には、時点ｔ５６で出力を１２セグ映像データからワンセグ映像データに切り換え、その後、１２セグ映像データのエラー率が時点ｔ５７で閾値Ｃ２よりも小さくなる場合には、時点ｔ５７で出力をワンセグ映像データから１２セグ映像データに切り換える。このように、比較例に係る放送信号受信装置によれば、１２セグ映像データに軽微な断続的エラーが発生する場合、１２セグ映像データとワンセグ映像データとの切り換えが頻繁に行われる。よって、１２セグ映像データとワンセグ映像データとの切り換えに伴う頻繁な画質変化の発生や映像に生じるノイズが増大してしまうおそれがある。
【０１０２】
これに対して、本実施例に係る放送信号受信装置１００は、１２セグ映像データに断続的なエラーが発生する場合（即ち、検出結果Ｅの場合）には、ワンセグ映像データを出力する（図４のステップＳ５３も参照）。即ち、本実施例に係る放送信号受信装置１００は、断続的なエラーが発生する時点ｔ５２から時点ｔ５７までの期間において、ワンセグ映像データを出力する。よって、１２セグ映像データとワンセグ映像データとの切り換えが頻繁に行われることを抑制でき、１２セグ映像データとワンセグ映像データとの切り換えに伴う頻繁な画質変化の発生や映像に生じるノイズを低減できる。更に、本実施例に係る放送信号受信装置１００によれば、１２セグ映像データに断続的なエラーが（即ち、図９においてエラー率が断続的に閾値Ｃ１以上となるエラー）が発生し始める時点ｔ５２よりも前の時点５１において、出力が１２セグ映像データからワンセグ映像エータに切り換えられる。よって、比較例に係る放送信号受信装置では生じ得る、１２セグ映像データからワンセグ映像データへの切り換えが間に合わず、映像が途切れてしまったり、エラーが多く発生した状態の１２セグ映像データによる映像が表示されてしまったりするという事態を回避できる。
【０１０３】
以上説明したように、本実施例に係る放送信号受信装置１００によれば、サイマル放送される１２セグ映像データとワンセグ映像データとを適切に切り換えることができ、高画質な映像を視聴者に視聴させることが可能となる。ここで特に、本実施例によれば、ＰＥＳバッファ２０によって所定時間Ｔ１分の１２セグ映像データに相当するＰＥＳパケットを保持し、この保持されたＰＥＳパケットについて、ＭＰＥＧ２ビデオデコーダ２４によるデコード前に、エラーの推移が検出される（言い換えれば、デコード前に、所定時間Ｔ１分だけ未来の１２セグ映像データについてエラーの推移が予測される）ので、サイマル放送される１２セグ映像データとワンセグ映像データとを適切に切り換えることができる。
【０１０４】
なお、本実施例では、エラー推定検出部３０によって検出されるエラーの推移として、１２セグ映像データに相当するＰＥＳパケットについてのエラーの推移を例に挙げたが、ＴＳのエラー情報や、ＢＥＲ、Ｃ／Ｎ（Carrier to Noise ratio）などの各種のエラー情報の推移が検出されるようにしてもよい。
【０１０５】
また、本実施例では、ＰＥＳバッファ２０に保持された所定時間Ｔ１分の１２セグ映像データのＰＥＳパケットについてエラーの推移を検出するように構成したが、フレームバッファ２８が所定時間Ｔ１分の１２セグ映像データを保持し、このフレームバッファ２８に保持された１２セグ映像データを解析することにより、所定時間Ｔ１分の１２セグ映像データについてエラーの推移を検出するようにしてもよい。この場合にも、１２セグ映像データとワンセグ映像データとを適切に切り換えることができ、高画質な映像を視聴者に視聴させることが可能となる。
【０１０６】
また、本発明は、音声や字幕についても映像と同様に適用することが可能である。本発明を音声や字幕について適用することで、高品質な音声や字幕を視聴者に視聴させることができる。
【０１０７】
本発明は、前述した実施例に限られるものではなく、請求の範囲及び明細書全体から読み取れる発明の要旨或いは思想に反しない範囲で適宜変更可能であり、そのような変更を伴う放送信号受信装置及び方法もまた本発明の技術的範囲に含まれるものである。
【符号の説明】
【０１０８】
１０  アンテナ
１２  チューナ部
１４  復調部
１６  ＴＳ−Ｄｅｍｕｘ
１８、２０  ＰＥＳバッファ
２４  Ｈ．２６４デコーダ
２６、２８  フレームバッファ
３０  エラー推移検出部
３２  出力切換判定部
３４  出力切換部
３６  遅延量検出部３６
１００  放送信号受信装置
【図１】
2012227633.tif 000003
【図２】
2012227633.tif 000004
【図３】
2012227633.tif 000005
【図４】
2012227633.tif 000006
【図５】
2012227633.tif 000007
【図６】
2012227633.tif 000008
【図７】
2012227633.tif 000009
【図８】
2012227633.tif 000010
【図９】
2012227633.tif 000011